(57)【要約】      （修正有）【課題】ドアを開けた際に目を刺激しない光源手段を有するドア付きショーケースを提供する。【解決手段】収容空間１２を画成するケース本体１と、開口１１を覆う閉め位置に仮固定され、且つ閉め位置から離れるようにケース本体に取り付けられているドア手段２とを有するドア付きショーケースであって、ドア手段は、透明材料により作製された透明窓部２１と、ドア手段の位置を感知するセンサー手段２３と、ドア手段が閉め位置に位置していると作動し外部空間に向かって画像を表示できるディスプレイパネルを備えた光源手段と、センサー手段２３により、ドア手段が閉め位置にあることが感知されると、光源手段を作動させ、ドア手段が閉め位置から離れたことが感知されると、光源手段の作動を停止させるように構成される制御手段とを具える。【選択図】図２
0003189878.tif 000002
【実用新案登録請求の範囲】
【請求項１】
開口を有する収容空間を画成するケース本体と、
前記開口の少なくとも一部を覆う閉め位置に仮固定されることができ、且つ前記閉め位置から離れることができるように前記ケース本体に取り付けられているドア手段と、を有するドア付きショーケースであって、
前記ドア手段は、透明材料により作製された透明窓部と、
前記ドア手段の位置を感知するセンサー手段と、
前記透明窓部に取り付けられていると共に、作動すると前記収容空間の反対側にある外部空間に向かって画像を表示することができるように配置構成されているディスプレイパネルを備えた光源手段と、
前記センサー手段により、前記ドア手段が前記閉め位置に位置していることが感知されると、前記光源手段を作動させ、前記ドア手段が前記閉め位置から離れたことが感知されると、前記光源手段の作動を停止させるように構成されている制御手段とを具えることを特徴とするドア付きショーケース。
【請求項２】
前記センサー手段は、前記ケース本体において前記ドア手段が前記閉め位置に位置している際に前記ドア手段に臨む面と、前記ドア手段において前記ドア手段が前記閉め位置に位置している際に前記ケース本体に臨む面と、におけるいずれか１つの面に配置され、前記ドア手段が前記閉め位置に位置していると前記１つの面以外の他の１つの面によって押されて作動するボタンを有するスイッチであって、
前記ボタンが押されると、前記ドア手段が前記閉め位置に位置していることとして感知し、前記ボタンが押されていないと、前記ドア手段が前記閉め位置から離れたこととして感知することを特徴とする請求項１に記載のドア付きショーケース。
【請求項３】
前記スイッチが有する前記ボタンは、前記ケース本体において前記ドア手段が前記閉め位置に位置している際に前記ドア手段に臨む面に設置されていることを特徴とする請求項２に記載のドア付きショーケース。
【請求項４】
前記センサー手段は、磁石部と前記磁石部の磁性を感知することができるセンサー部と具える磁気スイッチであって、
前記磁石部は、前記ケース本体において前記ドア手段が前記閉め位置に位置している際に前記ドア手段に臨む面と、前記ドア手段において前記ドア手段が前記閉め位置に位置している際に前記ケース本体に臨む面と、におけるいずれか１つの面に配置されており、
前記センサー部は、前記１つの面以外の他の１つの面において前記磁石部に対応する位置に配置されており、
前記センサー部が前記磁石部の磁性を感知すると、前記ドア手段が前記閉め位置に位置していることとして感知し、また、前記センサー部が前記磁石部の磁性を感知しなくなると、前記ドア手段が前記閉め位置から離れたこととして感知することを特徴とする請求項１に記載のドア付きショーケース。
【請求項５】
前記磁石部は前記ケース本体において前記ドア手段が前記閉め位置に位置している際に前記ドア手段に臨む面に配置され、
前記センサー部は、前記ドア手段において前記ドア手段が前記閉め位置に位置している際に前記ケース本体に臨む面で前記磁石部に対応する位置に配置されていることを特徴とする請求項４に記載のドア付きショーケース。
【請求項６】
前記透明窓部は、第１の透明板材と、前記第１の透明板材と所定の隙間を開けるように平行して配置されている第２の透明板材とからなり、前記光源手段は、前記第１の透明板材と前記第２の透明板材との間にある前記所定の隙間に配置されており、
また、前記ケース本体には、照明装置が常に前記収容空間を照明することができるように取付けられていることを特徴とする請求項１〜請求項５のいずれか一項に記載のドア付きショーケース。
【請求項７】
前記光源手段は、前記収容空間を照明できるように取付けられている照明具を更に備えることを特徴とする請求項６に記載のドア付きショーケース。
【請求項８】
前記ケース本体に、前記収容空間を冷却できる冷却装置が設置されており、冷凍庫または冷蔵庫として使用されることを特徴とする請求項１〜請求項７のいずれか一項に記載のドア付きショーケース。
【請求項９】
前記ドア手段を複数備え、各前記ドア手段が、前記センサー手段と、前記光源手段と、前記制御手段とを独自に具え、各前記ドア手段において前記制御手段が前記センサー手段の感知結果に応じて前記光源手段の作動を独自に制御するように配置構成されていることを特徴とする請求項１〜請求項８のいずれか一項に記載のドア付きショーケース。
【請求項１０】
開口を有する収容空間を画成するケース本体と、
前記開口の少なくとも一部を覆う閉め位置に仮固定されることができ、且つ前記閉め位置から離れることができるように前記ケース本体に取り付けられているドア手段と、を有するドア付きショーケースであって、
前記ドア手段は、透明材料により作製された透明窓部と、
前記ドア手段の位置を感知するセンサー手段と、
それぞれ前記透明窓部に取り付けられているものであって、前記収容空間を照明できるように取付けられている照明具と、作動すると前記収容空間の反対側にある外部空間に向かって画像を表示することができるように配置構成されているディスプレイパネルとを備える光源手段と、
前記センサー手段により、前記ドア手段が前記閉め位置に位置していることが感知されると、前記光源手段が備える前記照明具を作動させ、前記ドア手段が前記閉め位置から離れたことが感知されると、前記光源手段が備える前記照明具の作動を停止させるように構成されている制御手段とを具えることを特徴とするドア付きショーケース。
【考案の詳細な説明】
【技術分野】
【０００１】
本考案はドア付きショーケースに関し、特に光源手段を有するドア付きショーケースに関する。
【背景技術】
【０００２】
従来のドア付きショーケースにおいて、例えばコンビニエンスストアやスーパーマーケットなどの店に設置されるドア付きショーケースは、収容空間を画成し、冷却装置などの冷却手段が取り付けられているケース本体と、透明な材料より作製されたドア本体とにより構成されている。
【０００３】
しかし、上記のようなドア付きショーケースは、商品を冷やしながら収容空間に陳列する機能しかなく、例えば該ドア付きショーケースにキャンペーン情報や新商品情報などを掲示したいまたは商品をアピールしたい場合には、ポスターなどをケース本体の外側またはドア本体に貼り付けるぐらいしかできない。そのような広告手段は、手間がかかる上に、広告の効果も限られる。
【０００４】
ゆえに、本考案者は、特許文献１に示されるように、前記従来のドア付きショーケースのドア本体にディスプレイパネルを設置して、該表示装置でキャンペーン情報やＣＭなどを表示するという広告機能を有するドア付きショーケースを考案した。従って、前記従来のドア付きショーケースのドア本体にディスプレイパネルを設置することによって、入力しておいた広告データを動画で表示することができ、従来のドア付きショーケースより広告効果の向上が期待できる。
【先行技術文献】
【特許文献】
【０００５】
【特許文献１】台湾実用新案第Ｍ４４６９５６号明細書
【考案の概要】
【考案が解決しようとする課題】
【０００６】
しかし、上記表示装置を有するドア付きショーケースにおいて、ドアが開けられた際に消費者はディスプレイパネルに表示されている広告を見られず、広告の効果がなくなった状態でも、ディスプレイパネルが表示しているままである。また、ドアを開けて商品を取り出す際に、ディスプレイパネルからの発光が消費者の目に入って、不快と感じられることもある。
【０００７】
また、ドアの内側に商品を照らす照明具を取り付けることにより、商品の展示効果を向上するという発想もあるが、上記のように、ドアを開けて商品を取り出す際に、ディスプレイパネルよりも更に強い照明具からの発光が消費者の目に入って、消費者に更なる不快を与える恐れがある。
【０００８】
上記問題点に鑑みて、本考案は消費者がドアを開けた際に目を刺激しないように構成された光源手段を有するドア付きショーケースの提供を目的とする。
【課題を解決するための手段】
【０００９】
上記目的を達成すべく、本考案は、開口を有する収容空間を画成するケース本体と、前記開口の少なくとも一部を覆う閉め位置に仮固定されることができ、且つ前記閉め位置から離れることができるように前記ケース本体に取り付けられているドア手段と、を有するドア付きショーケースであって、前記ドア手段は、透明材料により作製された透明窓部と、前記ドア手段の位置を感知するセンサー手段と、前記透明窓部に取り付けられていると共に、作動すると前記収容空間の反対側にある外部空間に向かって画像を表示することができるように配置構成されているディスプレイパネルを備えた光源手段と、前記センサー手段により、前記ドア手段が前記閉め位置に位置していることが感知されると、前記光源手段を作動させ、前記ドア手段が前記閉め位置から離れたことが感知されると、前記光源手段の作動を停止させるように構成されている制御手段とを具えることを特徴とするドア付きショーケースを提供する。
【００１０】
上記のドア付きショーケースにおいて、前記センサー手段は、前記ケース本体において前記ドア手段が前記閉め位置に位置している際に前記ドア手段に臨む面と、前記ドア手段において前記ドア手段が前記閉め位置に位置している際に前記ケース本体に臨む面と、におけるいずれか１つの面に配置され、前記ドア手段が前記閉め位置に位置していると前記１つの面以外の他の１つの面によって押されて作動するボタンを有するスイッチであって、前記ボタンが押されると、前記ドア手段が前記閉め位置に位置していることとして感知し、前記ボタンが押されていないと、前記ドア手段が前記閉め位置から離れたこととして感知することが好ましい。
【００１１】
上記のドア付きショーケースにおいて、前記スイッチが有する前記ボタンは、前記ケース本体において前記ドア手段が前記閉め位置に位置している際に前記ドア手段に臨む面に設置されていることが好ましい。
【００１２】
上記のドア付きショーケースにおいて、前記センサー手段は、磁石部と前記磁石部の磁性を感知することができるセンサー部と具える磁気スイッチであって、前記磁石部は、前記ケース本体において前記ドア手段が前記閉め位置に位配置している際に前記ドア手段に臨む面と、前記ドア手段において前記ドア手段が前記閉め位置に位置している際に前記ケース本体に臨む面と、におけるいずれか１つの面に配置されており、前記センサー部は、前記１つの面以外の他の１つの面において前記磁石部に対応する位置に配置されており、前記センサー部が前記磁石部の磁性を感知すると、前記ドア手段が前記閉め位置に位置していることとして感知し、また、前記センサー部が前記磁石部の磁性を感知しなくなると、前記ドア手段が前記閉め位置から離れたこととして感知することが好ましい。
【００１３】
上記のドア付きショーケースにおいて、前記磁石部は前記ケース本体において前記ドア手段が前記閉め位置に位置している際に前記ドア手段に臨む面に配置され、前記センサー部は、前記ドア手段において前記ドア手段が前記閉め位置に位置している際に前記ケース本体に臨む面で前記磁石部に対応する位置に配置されていることが好ましい。
【００１４】
上記のドア付きショーケースにおいて、前記透明窓部は、第１の透明板材と、前記第１の透明板材と所定の隙間を開けるように平行して配置されている第２の透明板材とからなり、前記光源手段は、前記第１の透明板材と前記第２の透明板材との間にある前記所定の隙間に配置されており、また、前記ケース本体には、照明装置が常に前記収容空間を照明することができるように取付けられていることが好ましい。
【００１５】
上記のドア付きショーケースにおいて、前記光源手段は、前記収容空間を照明できるように取付けられている照明具を更に備えることが好ましい。
【００１６】
上記のドア付きショーケースにおいて、前記ケース本体に、前記収容空間を冷却できる冷却装置が設置されており、冷凍庫または冷蔵庫として使用されることが好ましい。
【００１７】
上記のドア付きショーケースにおいて、前記ドア手段を複数備え、各前記ドア手段が、前記センサー手段と、前記光源手段と、前記制御手段とをそれぞれ独自に具え、各前記ドア手段に置いて前記制御手段が前記センサー手段の感知結果に応じて前記光源手段の作動を制御するように配置構成されていることが好ましい。
【００１８】
また、本考案は、開口を有する収容空間を画成するケース本体と、前記開口の少なくとも一部を覆う閉め位置に仮固定されることができ、且つ前記閉め位置から離れることができるように前記ケース本体に取り付けられているドア手段と、を有するドア付きショーケースであって、前記ドア手段は、透明材料により作製された透明窓部と、前記ドア手段の位置を感知するセンサー手段と、それぞれ前記透明窓部に取り付けられているものであって、前記収容空間を照明できるように取付けられている照明具と、作動すると前記収容空間の反対側にある外部空間に向かって画像を表示することができるように配置構成されているディスプレイパネルとを備える光源手段と、前記センサー手段により、前記ドア手段が前記閉め位置に位置していることが感知されると、前記光源手段が備える前記照明具を作動させ、前記ドア手段が前記閉め位置から離れたことが感知されると、前記光源手段が備える前記照明具の作動を停止させるように構成されている制御手段とを具えることを特徴とするドア付きショーケースをも提供する。
【考案の効果】
【００１９】
上記の構成によれば、本考案のドア付きショーケースは、センサー手段がドア手段が閉め位置にあるか否かを感知することによって光源手段を制御するように構成されるので、消費者がドアを開けると、光源手段の発光が消え、消費者の目を刺激する光がなくなる。つまり、ドアが閉まっている間だけ表示装置やドア照明具を作動させてキャンペーン情報やＣＭなどの表示またはドア側から商品の照明を行うように制御手段を設定し、消費者がドアを開けると、光源手段の発光が消え目を刺激しないドア付きショーケースを提供することができる。
【図面の簡単な説明】
【００２０】
【図１】本考案の第１の実施形態が実際に使用されている状況において、ドア手段が閉め位置にある状態を示す斜視図である。
【図２】本考案の第１の実施形態が実際に使用されている状況において、ドア手段が閉め位置から離れている状態を示す斜視図である。
【図３】本考案の第１の実施形態の一部の構成を示す断面図である。
【図４】本考案の第１の実施形態が実際に使用されている状況において、ドア手段が閉め位置にある状態を示す正面図である。
【図５】本考案の第２の実施形態が実際に使用されている状況において、ドア手段が全て閉め位置にある状態を示す斜視図である。
【図６】本考案の第２の実施形態が実際に使用されている状況において、１つのドア手段が閉め位置から離れている状態を示す斜視図である。
【図７】本考案の第２の実施形態の一部の構成を示す断面図である。
【考案を実施するための形態】
【００２１】
以下は添付の図面を参照しながら、本考案のドア付きショーケースの実施形態について説明する。
【００２２】
本考案の第１の実施形態は、図１から図４までに示されるように、ケース本体１とドア手段２と宣伝用パネル３とを具え、商品９を陳列でき、冷蔵庫や冷凍庫として機能するドア付きショーケースである。
【００２３】
ケース本体１は、開口１１を有する収容空間１２を画成しており、常に収容空間１２を照明することができるように取り付けられた照明装置１３と、収容空間１２を冷却できるように構成され、ケース本体１に設置された冷却装置（図示せず）と、商品９を支持かつ陳列できる棚板１４とを備えている。なお、宣伝用パネル３は、例えば液晶ディスプレイやＬＥＤを採用した電光掲示板などを用いたものであって、ケース本体１の上に、文字や影像などを表示できるように取り付けられている。
【００２４】
この第１の実施形態において、照明装置１３は２本の蛍光灯１３１からなるものであるが、しかし、照明装置１３に用いる照明器具は蛍光灯１３１に限らず、例えばＬＥＤや白熱電球などを用いることもできる。また、宣伝用パネル３は液晶ディスプレイを採用している。
【００２５】
ドア手段２は、開口１１の少なくとも一部を覆う閉め位置に仮固定されることができ且つ前記閉め位置から離れることができるようにケース本体１に取り付けられており、少なくとも１つの中空箇所を有するように枠状に作成されたドア本体２２と、透明材料により作製され、ドア本体２２の中空箇所に嵌め込まれている透明窓部２１と、ドア手段２が前記閉め位置に位置していると作動して前記収容空間の反対側にある外部空間に向かって画像を表示することができるように配置構成されているディスプレイパネル２１３を備えた光源手段２０と、光源手段２０を制御する制御手段２５とを備え、更に、ドア手段２が前記閉め位置にあるか否かを感知するセンサー手段２３を備えている。
【００２６】
この第１の実施形態において、ドア手段２は図１に示されるように、開口１１の全てを覆うことができるように配置構成されており、そして、該ドア手段２における透明窓部２１は、第１の透明板材２１１と、第１の透明板材２１１と所定の隙間２１０を開けるように平行して配置された第２の透明板材２１２とからなる。光源手段２０は、ディスプレイパネル２１３の他、収容空間１２を照明できるように取付けられている照明具２４を更に備えるように構成され、第１の透明板材２１１と第２の透明板材２１２との間にある所定の隙間２２０に配置されている。この第１の実施形態において、ディスプレイパネル２１３として透過型液晶ディスプレイが用いられ、第１の透明板材２１１と第２の透明板材２１２としてディスプレイパネル２１３を保護するため強化ガラスを採用し、また、照明具２４は、長尺状で、複数のＬＥＤが取り付けられているＬＥＤモジュール２４１により構成されている。
【００２７】
更に、この第１の実施形態において、センサー手段２３は、ケース本体１においてドア手段２が前記閉め位置に位置する際にドア手段２に臨む面に設置されているボタン２３１を有しているスイッチであって、ドア手段２においてドア手段２が前記閉め位置に位置している際にケース本体１に臨む面にボタン２３１が押されると、ドア手段２が前記閉め位置に位置していることとして感知して所定の感知信号を制御手段２５に発信し、ボタン２３１が押されていないと、ドア手段２が前記閉め位置から離れたこととして感知して前記所定の感知信号と異なる感知信号を制御手段２５に発信する。
【００２８】
なお、ボタン２３１の位置はこの第１の実施形態に限定せず、例えばケース本体１においてドア手段２が前記閉め位置に位置している際にドア手段２に臨む面と、ドア手段２においてドア手段２が前記閉め位置に位置している際にケース本体１に臨む面と、におけるいずれか１つの面に配置されることができ、ドア手段２が前記閉め位置に位置していると前記１つの面以外の他の１つの面によって押されて作動することもできる。
【００２９】
更に、制御手段２５はセンサー手段２３の感知結果、即ちセンサー手段２３から発信された感知信号に応じて光源手段２０の作動を制御する。制御手段２５は、図１及び図２に示されるように、センサー手段２３によりドア手段２が前記閉め位置に位置していることが感知されると、光源手段２０を作動させ、且つ、図２に示されるように、ドア手段２が前記閉め位置から離れたことが感知されると、光源手段２０の作動を停止させるように構成されている。
【００３０】
更に、照明具２４とするＬＥＤモジュール２４１は、作動している際に発する熱で透明窓部２１を温めることができるので、透明窓部２１が結露することを防止でき、防霧効果をも有する。
【００３１】
上記の構成によれば、本考案のこの第１の実施形態のドア付きショーケースは、ドアが閉まっている間だけ、ディスプレイパネル２１３と照明具２４より構成される光源手段２０を作動させて、照明具２４により収容空間１２を照明し、ディスプレイパネル２１３によりキャンペーン情報やＣＭなどを表示するように制御手段２５を設定して、消費者が商品を選ぶ時、ディスプレイパネル２１３が表示しているキャンペーン情報やＣＭなどが見え且つ照明具２４により商品の展示効果が向上されるので、ドア手段２による優れた広告機能と商品展示効果を発揮する。そして、センサー手段２３によりドア手段２が閉め位置に位置しているか否かを感知することによって光源手段２０を制御することできるので、消費者が商品を取るためにドアを開けると、光源手段２０の発光が消え、消費者の目を刺激する光がなくなる。したがって、ドア手段２による優れた広告機能と商品展示効果を発揮できるだけでなく、消費者がドアを開けた際に、目を刺激しないドア付きショーケースを提供することができる。
【００３２】
次いで、図５〜図７を用いて本考案の第２の実施形態について説明する。
【００３３】
本考案の第２の実施形態は、上記第１の実施形態のケース本体１と類似する構成を有するので、ここでは詳しい説明を省略し、その相違点のみを説明する。
【００３４】
図５〜図７に示されるように、この第２の実施形態はケース本体１に左側にあるドア手段２Ａと右側にあるドア手段２Ｂが取り付けられている実施形態である。２つのドア手段２Ａ、２Ｂは、それぞれ第１の実施形態におけるドア手段２と類似する構成を有している。
【００３５】
即ち、ドア手段２Ａは、中空箇所を上下１つずつ有するように枠状に作成されているドア本体２２Ａと、ドア本体２２Ａの２つの中空箇所にそれぞれ嵌め込まれている上透明窓部２１４Ａ及び下透明窓部２１５Ａと、上透明窓部２１４Ａに配置されている光源手段２０Ａと、ドア手段２Ａが閉め位置にあるか否かを感知するセンサー手段２３Ａと、センサー手段２３Ａの感知結果に基づいて光源手段２０Ａを制御する制御手段２５Ａとを備えている。また、ドア手段２Ｂは、中空箇所を上下１つずつ有するように枠状に作成されているドア本体２２Ｂと、ドア本体２２Ｂの２つの中空箇所にそれぞれ嵌め込まれている上透明窓部２１４Ｂ及び下透明窓部２１５Ｂと、上透明窓部２１４Ｂに配置されている光源手段２０Ｂと、ドア手段２Ｂが閉め位置にあるか否かを感知するセンサー手段２３Ｂと、センサー手段２３Ｂの感知結果に基づいて光源手段２０Ｂを制御する制御手段２５Ｂとを備えている。
【００３６】
なお、ドア本体２２Ａまたはドア本体２２Ｂの中空箇所及び透明窓部の分け方は上下１つずつに限らず、例えば左右または３つに分けることも可能である。更に、この第２の実施形態における下透明窓部２１５Ａ、２１５Ｂは例えば防霧機能を有する一枚の透明板材により構成することができる。なお、上透明窓部２１４Ａ、２１４Ｂの構成については、上記第１の実施形態の透明窓部２１と類似する構成を有するので、ここでは詳しい説明を省略する。
【００３７】
この第２の実施形態のドア手段２Ａが備えるセンサー手段２３Ａは、ケース本体１においてドア手段２Ａが前記閉め位置に位置している際にドア手段２Ａに臨む面に配置される磁石部２３２Ａと、ドア手段２Ａにおいてドア手段２Ａが前記閉め位置に位置している際にケース本体１に臨む面で磁石部２３２Ａに対応する位置に位置し、磁石部２３２Ａの磁性を感知することができるセンサー部２３３Ａとからなる磁気スイッチを採用している。そして、センサー部２３３Ａとして磁気リードスイッチを採用している。
【００３８】
図６の左側のドア手段２Ａが備えているセンサー手段２３Ａは、ドア手段２Ａの位置を独自に感知してドア手段２Ａが備える制御手段２５Ａに感知信号を出力し、そして、感知信号を受信した制御手段２５Ａもまた該感知信号に基づいてドア手段２Ａが備える光源手段２０Ａを制御するように構成されている。
【００３９】
即ち、センサー部２３３Ａが磁石部２３２Ａの磁性を感知すると、前記ドア手段２Ａが閉め位置に位置していることとして感知して所定の感知信号を制御手段２５Ａに発信し、制御手段２５Ａは受信したドア手段２Ａが閉め位置に位置している感知信号に基づいて光源手段２０Ａを作動させる。一方、センサー部２３３Ａが磁石部２３２Ａの磁性を感知しなくなると、ドア手段２Ａが前記閉め位置から離れたこととして感知して前記所定の感知信号と異なる感知信号を制御手段２５Ａに発信し、制御手段２５Ａは受信したドア手段２Ａが閉め位置から離れた感知信号に基づいて光源手段２０Ａを停止させる。
【００４０】
無論、磁石部２３２Ａとセンサー部２３３Ａの位置はこれに限定されず、例えば、磁石部２３２Ａとセンサー部２３３Ａの位置を入れ替えることも可能である。
【００４１】
ちなみに、図６の右側のドア手段２Ｂが備えているセンサー手段２３Ｂは、ドア手段２Ｂの位置を独自に感知してドア手段２Ｂが備える制御手段２５Ｂに感知信号を出力し、そして、感知信号を受信した制御手段２５Ｂもまた該感知信号に基づいてドア手段２Ｂが備える光源手段２０Ｂを制御するように構成されている。
【００４２】
即ち、センサー部２３３Ｂが磁石部２３２Ｂの磁性を感知すると、前記ドア手段２Ｂが閉め位置に位置していることとして感知して所定の感知信号を制御手段２５Ｂに発信し、制御手段２５Ｂは受信したドア手段２Ｂが閉め位置に位置している感知信号に基づいて光源手段２０Ｂを作動させる。一方、センサー部２３３Ｂが磁石部２３２Ｂの磁性を感知しなくなると、ドア手段２Ｂが前記閉め位置から離れたこととして感知して前記所定の感知信号と異なる感知信号を制御手段２５Ｂに発信し、制御手段２５Ｂは受信したドア手段２Ｂが閉め位置から離れた感知信号に基づいて光源手段２０Ｂを停止させる。ちなみに、図６には、ドア手段２Ａが閉め位置に位置している状態、且つドア手段２Ｂが閉め位置から離れた状態を示している。
【００４３】
このように、センサー手段２３Ａ及び制御手段２５Ａと、センサー手段２３Ｂ及び制御手段２５Ｂとは互いに干渉せずに独立して感知、制御を行うようになっている。
【００４４】
この第２の実施形態の構成によれば、上記第１の実施形態の効果を有する以外、更に、上透明窓部２１４Ａ、２１４Ｂにのみ光源手段２０Ａ、２０Ｂを取付けることによって、使用者が広告したい商品を上透明窓部２１４Ａ、２１４Ｂによって覆われている収容空間１２に陳列し、他の商品を下透明窓部２１５Ａ、２１５Ｂに覆われている収容空間１２に陳列すると、広告と商品展示効果を更に集中する効果を得ることができる。
【００４５】
また、本考案における制御手段２５及び光源手段２０は、制御手段２５が、センサー手段２３から発信された感知信号に応じて光源手段２０が有する照明具２４の作動のみを制御するように構成することも可能である。
【産業上の利用可能性】
【００４６】
上記の構成によれば、本考案のドア付きショーケースは、ドアに配置されて優れた広告機能と商品展示効果を発揮する光源手段を備える上に、一方でその光により消費者に不快感を与える問題点を解決するよう、消費者がドアを開けてドアが閉め位置から離れたことを感知すると、光源手段の発光が消され、消費者の目を刺激する光がなくなるので、コンビニエンスストアやスーパーマーケットなどの店に設置される商品陳列装置に好適である。
【符号の説明】
【００４７】
１  ケース本体
２、２Ａ、２Ｂ  ドア手段
３  宣伝用パネル
９  商品
１１  開口
１２  収容空間
１３  照明装置
１３１  蛍光灯
１４  棚板
２０、２０Ａ、２０Ｂ  光源手段
２１  透明窓部
２１０  所定の隙間
２１１  第１の透明板材
２１２  第２の透明板材
２１３  ディスプレイパネル
２２、２２Ａ、２２Ｂ  ドア本体
２３、２３Ａ、２３Ｂ  センサー手段
２３１  ボタン
２３２、２３２Ａ、２３２Ｂ  磁石部
２３３、２３３Ａ、２３３Ｂ  センサー部
２４  照明具
２４１  ＬＥＤモジュール
２１４、２１４Ａ、２１４Ｂ  上透明窓部
２１５、２１５Ａ、２１５Ｂ  下透明窓部
２５、２５Ａ、２５Ｂ  制御手段
【図１】
0003189878.tif 000003
【図２】
0003189878.tif 000004
【図３】
0003189878.tif 000005
【図４】
0003189878.tif 000006
【図５】
0003189878.tif 000007
【図６】
0003189878.tif 000008
【図７】
0003189878.tif 000009